(57)【特許請求の範囲】
【請求項１】
ユーザ装置（ＵＥ）がネットワーク選択およびトラフィックルーティングを実行する方法であって、
システム間ルーティングポリシ（ＩＳＲＰ）規則を有するアクセスネットワーク発見および選択機能（ＡＮＤＳＦ）規則を受信するステップと、
基地局から、無線アクセスネットワーク（ＲＡＮ）サポート情報を受信するステップと、
前記ＲＡＮサポート情報を使用して、前記ＩＳＲＰ規則が有効であるか否かを評価するステップと、
前記評価に基づいて、前記ＲＡＮサポート情報および前記ＡＮＤＳＦ規則のうちの一つを選択するステップと、を有する、方法。
【請求項２】
前記ＩＳＲＰ規則が有効でない場合、前記ＲＡＮサポート情報が前記ネットワーク選択およびトラフィックルーティングを実行するのに使用されるよう選択される、請求項１に記載の方法。
【請求項３】
前記ＩＳＲＰ規則が有効である場合、前記ＩＳＲＰ規則が前記ネットワーク選択およびトラフィックルーティングを実行するのに使用されるよう選択される、請求項１に記載の方法。
【請求項４】
ユーザ設定は、前記ＲＡＮサポート情報および前記ＩＳＲＰ規則より優先される、請求項１に記載の方法。
【請求項５】
前記ＲＡＮサポート情報を受信するステップは、
第１のＲＡＮサポート情報を受信するステップと、
第２のＲＡＮサポート情報を受信するステップと、を有し、
前記方法は、前記ネットワーク選択およびトラフィックルーティングのために前記第１のＲＡＮサポート情報または前記第２のＲＡＮサポート情報のいずれかを使用するステップをさらに有し、
前記第１のＲＡＮサポート情報が第１の公衆地上移動ネットワーク（ＰＬＭＮ）で受信され、前記第２のＲＡＮサポート情報が第２のＰＬＭＮで受信され、前記ＵＥが前記第２のＰＬＭＮに登録されている場合、前記第２のＲＡＮサポート情報は、前記第２のＰＬＭＮで使用される、請求項１に記載の方法。
【請求項６】
前記基地局は、発展型ユニバーサル移動電話システム（ＵＭＴＳ）地上無線アクセスネットワーク（Ｅ−ＵＴＲＡＮ）またはＵＴＲＡＮ内にある、請求項１に記載の方法。
【請求項７】
前記ＵＥは、
第３世代パートナーシッププロジェクト（３ＧＰＰ）アクセスおよび無線ローカルエリアネットワーク（ＷＬＡＮ）アクセスを使用するように設定されている、請求項１に記載の方法。
【請求項８】
前記ＲＡＮサポート情報は、
第３世代パートナーシッププロジェクト（３ＧＰＰ）アクセス閾値と、
無線ローカルエリアネットワーク（ＷＬＡＮ）アクセス閾値と、
オフロード選好インジケータ（ＯＰＩ）値と、
のうち少なくとも一つを有する、請求項１に記載の方法。
【請求項９】
前記ＩＳＲＰ規則を受信するステップは、
第１の公衆地上移動ネットワーク（ＰＬＭＮ）で第１のＩＳＲＰ規則を受信するステップと、
第２のＰＬＭＮで第２のＩＳＲＰ規則を受信するステップと、を有する、請求項１に記載の方法。
【請求項１０】
前記ＡＮＤＳＦ規則は、アクセスポイント名（ＡＰＮ）間ルーティングポリシ（ＩＡＲＰ）規則をさらに有する、請求項１に記載の方法。
【請求項１１】
前記ＲＡＮサポート情報および前記ＩＳＲＰ規則のうちの一つを選択するステップをさらに有する、請求項１に記載の方法。
【請求項１２】
ネットワーク選択およびトラフィックルーティングを実行するユーザ装置（ＵＥ）であって、
システム間ルーティングポリシ（ＩＳＲＰ）規則を有するアクセスネットワーク発見および選択機能（ＡＮＤＳＦ）規則を受信し、
基地局から、無線アクセスネットワーク（ＲＡＮ）サポート情報を受信する、よう構成される送受信部と、
前記ＲＡＮサポート情報を使用して、前記ＩＳＲＰ規則が有効であるか否かを評価し、
前記評価に基づいて、前記ＲＡＮサポート情報および前記ＡＮＤＳＦ規則のうちの一つを選択する、よう構成されるプロセッサと、を有する、ユーザ装置。
【請求項１３】
前記ＩＳＲＰ規則が有効でない場合、前記ＲＡＮサポート情報が前記ネットワーク選択およびトラフィックルーティングを実行するのに使用されるよう選択される、請求項１２に記載のユーザ装置。
【請求項１４】
前記ＩＳＲＰ規則が有効である場合、前記ＩＳＲＰ規則が前記ネットワーク選択およびトラフィックルーティングを実行するのに使用されるよう選択される、請求項１２に記載のユーザ装置。
【請求項１５】
ユーザ設定は、前記ＲＡＮサポート情報および前記ＩＳＲＰ規則より優先される、請求項１２に記載のユーザ装置。
【請求項１６】
前記ＲＡＮサポート情報を受信することは、
第１のＲＡＮサポート情報を受信することと、
第２のＲＡＮサポート情報を受信することと、を有し、
前記プロセッサは、前記ネットワーク選択およびトラフィックルーティングのために前記第１のＲＡＮサポート情報または前記第２のＲＡＮサポート情報のいずれかを使用し、
前記第１のＲＡＮサポート情報が第１の公衆地上移動ネットワーク（ＰＬＭＮ）で受信され、前記第２のＲＡＮサポート情報が第２のＰＬＭＮで受信され、前記ＵＥが前記第２のＰＬＭＮに登録されている場合、前記第２のＲＡＮサポート情報は、前記第２のＰＬＭＮで使用される、請求項１２に記載のユーザ装置。
【請求項１７】
前記基地局は、発展型ユニバーサル移動電話システム（ＵＭＴＳ）地上無線アクセスネットワーク（Ｅ−ＵＴＲＡＮ）またはＵＴＲＡＮ内にある、請求項１２に記載のユーザ装置。
【請求項１８】
前記ＵＥは、
第３世代パートナーシッププロジェクト（３ＧＰＰ）アクセスおよび無線ローカルエリアネットワーク（ＷＬＡＮ）アクセスを使用するように設定されている、請求項１２に記載のユーザ装置。
【請求項１９】
前記ＲＡＮサポート情報は、
第３世代パートナーシッププロジェクト（３ＧＰＰ）アクセス閾値と、
無線ローカルエリアネットワーク（ＷＬＡＮ）アクセス閾値と、
オフロード選好インジケータ（ＯＰＩ）値と、
のうち少なくとも一つを有する、請求項１２に記載のユーザ装置。
【請求項２０】
前記ＩＳＲＰ規則を受信することは、
第１の公衆地上移動ネットワーク（ＰＬＭＮ）で第１のＩＳＲＰ規則を受信することと、
第２のＰＬＭＮで第２のＩＳＲＰ規則を受信することと、を有する、請求項１２に記載のユーザ装置。
【請求項２１】
前記ＡＮＤＳＦ規則は、アクセスポイント名（ＡＰＮ）間ルーティングポリシ（ＩＡＲＰ）規則をさらに有する、請求項１２に記載のユーザ装置。
【請求項２２】
前記プロセッサは、前記ＲＡＮサポート情報および前記ＩＳＲＰ規則のうちの一つを選択するようさらに構成される、請求項１２に記載のユーザ装置。
【発明の詳細な説明】
【技術分野】
【０００１】
本明細書は、ネットワーク選択およびトラフィックルーティングを実行する方法ならびにネットワーク選択およびトラフィックルーティングを実行するユーザ装置に関する。
【背景技術】
【０００２】
移動通信システムの技術規格を制定する第３世代パートナシッププロジェクト（Third Generation Partnership Project；３ＧＰＰ）では、第４世代移動通信と関連した多様なフォーラムおよび新しい技術に対応するために、２００４年末から、３ＧＰＰ技術の性能を最適化させて向上させようとする努力の一環として、ＬＴＥ／ＳＡＥ（Long Term Evolution／System Architecture Evolution）技術に関する研究を始めた。
【０００３】
３ＧＰＰ ＳＡ ＷＧ２を中心に行われたＳＡＥは、３ＧＰＰ ＴＳＧ ＲＡＮのＬＴＥ作業と並行してネットワークの構造を決定し、異機種ネットワーク間の移動性（モビリティ（mobility））をサポートすることを目的とするネットワーク技術に関する研究であって、最近の３ＧＰＰの重要な標準化問題のうちの一つである。これは、３ＧＰＰシステムをＩＰベースの多様な無線接続技術をサポートするシステムに発展させるための作業であって、より向上したデータ送信能力で送信遅延を最小化する、最適化されたパケットベースのシステムを目標として作業が行われてきた。
【０００４】
３ＧＰＰ ＳＡ ＷＧ２で定義されたＥＰＳ（Evolved Packet System）上位レベル（水準）（level）参照モデル（reference model）は、非ローミングケース（non-roaming case）および多様なシナリオのローミングケース（roaming case）を含んでおり、詳細内容は、３ＧＰＰ標準文書ＴＳ２３.４０１およびＴＳ２３.４０２で参照することができる。図１のネットワーク構造図は、これを簡略的に再構成したものである。
【０００５】
図１は、発展型（evolved）移動通信ネットワークの構造図である。
【０００６】
ＥＰＣは、多様な構成要素を含むことができ、図１は、それらのうちの一部に該当する、Ｓ−ＧＷ（Serving GateWay）５２、ＰＤＮ ＧＷ（Packet Data Network GateWay）５３、ＭＭＥ（Mobility Management Entity）５１、ＳＧＳＮ（Serving GPRS（General Packet Radio Service） Supporting Node）、ｅＰＤＧ（enhanced Packet Data Gateway）を示す。
【０００７】
Ｓ−ＧＷ５２は、無線アクセスネットワーク（ＲＡＮ）とコアネットワークとの間の境界点として動作し、ｅＮｏｄｅＢ２２とＰＤＮ ＧＷ５３との間のデータ経路を維持する機能を有する要素である。また、端末（または、ユーザ装置（User Equipment：ＵＥ））がｅＮｏｄｅＢ２２によりサービスを受ける（serving）領域にわたって移動する場合、Ｓ−ＧＷ５２は、ローカル移動性アンカポイント（anchor point）の役割を遂行する。即ち、Ｅ−ＵＴＲＡＮ（３ＧＰＰリリース８以後で定義されるＥｖｏｌｖｅｄ−ＵＭＴＳ（Universal Mobile Telecommunications System） Terrestrial Radio Access Network）内での移動性のために、Ｓ−ＧＷ５２を介してパケットがルーティングされることができる。また、Ｓ−ＧＷ５２は、他の３ＧＰＰネットワーク（３ＧＰＰリリース８以前に定義されるＲＡＮ、例えば、ＵＴＲＡＮまたはＧＥＲＡＮ（ＧＳＭ（登録商標）（Global System for Mobile Communication）／ＥＤＧＥ（Enhanced Data rates for Global Evolution） Radio Access Network）との移動性のためのアンカポイントとして機能することもできる。
【０００８】
ＰＤＮ ＧＷ（または、Ｐ−ＧＷ）５３は、パケットデータネットワークに向かうデータインターフェースの終端点（termination point）に該当する。ＰＤＮ ＧＷ５３は、ポリシ実行機能（policy enforcement features）、パケットフィルタリング（packet filtering）、課金サポート（charging support）などをサポートすることができる。また、３ＧＰＰネットワークおよび非３ＧＰＰネットワーク（例えば、Ｉ−ＷＬＡＮ（Interworking Wireless Local Area Network）などの信頼されないネットワーク、ＣＤＭＡ（Code Division Multiple Access）ネットワークやＷｉＭａｘなどの信頼されるネットワーク）との移動性管理のためのアンカポイントの役割を遂行することができる。
【０００９】
図１のネットワーク構造の例は、Ｓ−ＧＷ５２およびＰＤＮ ＧＷ５３が別個のゲートウェイで構成されるものを示すが、二つのゲートウェイが単一ゲートウェイ構成オプション（Single Gateway Configuration Option）によって具現されることもできる。
【００１０】
ＭＭＥ５１は、ＵＥのネットワーク接続（連結）（connection）に対するアクセス、ネットワークリソースの割当、トラッキング（tracking）、ページング（paging）、ローミング（roaming）およびハンドオーバなどをサポートするためのシグナリングおよび制御機能を実行する要素である。ＭＭＥ５１は、加入者およびセッション管理に関連した制御プレーン（control plane）の機能を制御する。ＭＭＥ５１は、数多くのｅＮｏｄｅＢ２２を管理し、他の２Ｇ／３Ｇネットワークへのハンドオーバのための従来のゲートウェイの選択のためのシグナリングを実行する。また、ＭＭＥ５１は、セキュリティ手順（Security Procedures）、端末対ネットワークセッションハンドリング（Terminal-to-network Session Handling）、アイドル端末の位置決定管理（Idle Terminal Location Management）などの機能を遂行する。
【００１１】
ＳＧＳＮは、異なるアクセス３ＧＰＰネットワーク（例えば、ＧＰＲＳネットワーク、ＵＴＲＡＮ／ＧＥＲＡＮ）に対するユーザの移動性管理および認証（authentication）などの全てのパケットデータをハンドリングする。
【００１２】
ｅＰＤＧは、信頼されない非３ＧＰＰネットワーク（例えば、Ｉ−ＷＬＡＮ、ＷｉＦｉホットスポット（hotspot）など）に対するセキュリティノードとしての役割を遂行する。
【００１３】
図１を参照して説明したように、ＩＰ能力を有する端末（または、ＵＥ）は、３ＧＰＰアクセスはもちろん非３ＧＰＰアクセスに基づいても、ＥＰＣ内の多様な要素を経由して事業者（即ち、オペレータ（operator））が提供するＩＰサービスネットワーク（例えば、ＩＭＳ）にアクセスすることができる。
【００１４】
また、図１は、多様なレファレンスポイント（例えば、Ｓ１−Ｕ、Ｓ１−ＭＭＥなど）を示す。３ＧＰＰシステムでは、Ｅ−ＵＴＲＡＮおよびＥＰＣの異なる機能エンティティ（functional entity）に存在する２個の機能を連結する概念的なリンクをレファレンスポイント（reference point）として定義する。以下の表１は、図１に示すレファレンスポイントを整理したものである。表１の例以外にもネットワーク構造によって多様なレファレンスポイントが存在できる。
【００１５】
【表１】
0006526772.tif 000002
【００１６】
図２は、一般的なＥ−ＵＴＲＡＮおよび一般的なＥＰＣのアーキテクチャの例を示す図である。
【００１７】
図示されたように、ｅＮｏｄｅＢ２０は、ＲＲＣ接続が活性化されている間、ゲートウェイへのルーティング、ページングメッセージのスケジューリングおよび送信、ブロードキャストチャネル（ＢＣＨ）のスケジューリングおよび送信、アップリンクおよびダウンリンクでのリソースのＵＥへの動的割当、ｅＮｏｄｅＢ２０の測定のための設定および提供、無線ベアラ制御、無線許可制御（radio admission control）、ならびに、接続移動性制御などのための機能を遂行することができる。ＥＰＣ内では、ページング発生、ＬＴＥ_ＩＤＬＥ状態管理、ユーザプレーンの暗号化、ＥＰＳベアラ制御、ＮＡＳシグナリングの暗号化および完全性保護機能を遂行することができる。
【００１８】
図３は、ＵＥとｅＮｏｄｅＢとの間の制御プレーンにおける無線インターフェースプロトコル（Radio Interface Protocol）の構造の一例を示す図であり、図４は、端末と基地局との間のユーザプレーンにおける無線インターフェースプロトコル（Radio Interface Protocol）の構造の一例を示す他の図である。
【００１９】
上記無線インターフェースプロトコルは、３ＧＰＰ無線アクセスネットワーク規格を基盤とする。上記無線インターフェースプロトコルは、水平方向には、物理層（レイヤ）（Physical Layer）、データリンク層（Data Link Layer）およびネットワーク層（Network Layer）からなり、垂直方向には、データ情報送信のためのユーザプレーン（User Plane）と、制御信号（Signaling）伝達のための制御プレーン（Control Plane）と、に区分される（divided）。
【００２０】
上記プロトコル階層は、通信システムで広く知られた開放型システム間相互接続（Open System Interconnection；ＯＳＩ）基準モデルの下位３層に基づいてＬ１（第１の層）、Ｌ２（第２の層）、Ｌ３（第３の層）に分類される（classified）ことができる。
【００２１】
以下、上記図３に示す制御プレーンにおける無線プロトコルと、図４に示すユーザプレーンにおける無線プロトコルと、の各層を説明する。
【００２２】
第１の層である物理（ＰＨＹ）層は、物理チャネル（Physical Channel）を利用して情報転送サービス（Information Transfer Service）を提供する。上記物理層は、上位にある媒体アクセス制御（Medium Access Control；ＭＡＣ）層とはトランスポートチャネル（Transport Channel）を介して接続されており、上記トランスポートチャネルを介して媒体アクセス制御層と物理層との間のデータが伝達される。そして、互いに異なる物理層間、即ち、送信側と受信側との物理層間は、物理チャネルを介してデータが伝達される。
【００２３】
物理チャネル（Physical Channel）は、時間軸上にある複数個のサブフレームと、周波数軸上にある複数個のサブキャリア（Sub-carrier）と、で構成される。ここで、一つのサブフレーム（Sub-frame）は、時間軸上に複数のシンボル（Symbol）と複数のサブキャリアとで構成される。一つのサブフレームは、複数のリソースブロック（Resource Block）で構成され、一つのリソースブロックは、複数のシンボル（Symbol）と複数のサブキャリアとで構成される。データが送信される単位時間であるＴＴＩ（Transmission Time Interval）は、１個のサブフレームに該当する１ｍｓである。
【００２４】
上記送信側および受信側の物理層に存在する物理チャネルは、３ＧＰＰ ＬＴＥによると、データチャネルであるＰＤＳＣＨ（Physical Downlink Shared Channel）およびＰＵＳＣＨ（Physical Uplink Shared Channel）と、制御チャネルであるＰＤＣＣＨ（Physical Downlink Control Channel）、ＰＣＦＩＣＨ（Physical Control Format Indicator Channel）、ＰＨＩＣＨ（Physical Hybrid-ARQ Indicator Channel）およびＰＵＣＣＨ（Physical Uplink Control Channel）と、に分けられる。
【００２５】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に関するＣＦＩ（control format indicator）を伝送する。無線機器は、まず、ＰＣＦＩＣＨ上でＣＦＩを受信した後、ＰＤＣＣＨをモニタリングする。
【００２６】
ＰＤＣＣＨと違って、ＰＣＦＩＣＨは、ブラインドデコーディングを使用せずに、サブフレームの固定されたＰＣＦＩＣＨリソースを介して送信される。
【００２７】
ＰＨＩＣＨは、ＵＬ ＨＡＲＱ（Hybrid Automatic Repeat reQuest）のためのＡＣＫ（positive-ACKnowledgement）／ＮＡＣＫ（Negative-ACKnowledgement）信号を伝送する。無線機器により送信されるＰＵＳＣＨ上のＵＬ（uplink）データに対するＡＣＫ／ＮＡＣＫ信号は、ＰＨＩＣＨ上で送信される。
【００２８】
ＰＢＣＨ（Physical Broadcast CHannel）は、無線フレームの１番目のサブフレームの第２のスロットの前方部の４個のＯＦＤＭシンボルで送信される。ＰＢＣＨは、無線機器が基地局と通信するときに必須であるシステム情報を伝送し、ＰＢＣＨを介して送信されるシステム情報をＭＩＢ（Master Information Block）という。これと比較して、ＰＤＣＣＨにより指示されるＰＤＳＣＨ上で送信されるシステム情報をＳＩＢ（System Information Block）という。
【００２９】
ＰＤＣＣＨは、ＤＬ−ＳＣＨ（DownLink-Shared CHannel）のリソース割当および送信フォーマット、ＵＬ−ＳＣＨ（UpLink Shared CHannel）のリソース割当情報、ＰＣＨ上のページング情報、ＤＬ−ＳＣＨ上のシステム情報、ＰＤＳＣＨ上で送信されるランダムアクセス応答などの上位層制御メッセージのリソース割当、任意のＵＥグループ内の個別ＵＥに対する送信パワー制御命令のセットならびにＶｏＩＰ（Voice over Internet Protocol）の活性化などを伝送することができる。複数のＰＤＣＣＨが制御領域内で送信されることができ、端末は、複数のＰＤＣＣＨをモニタリングすることができる。ＰＤＣＣＨは、一つまたは複数個の連続的なＣＣＥ（Control Channel Elements）のアグリゲーション（aggregation）上で送信される。ＣＣＥは、無線チャネルの状態による符号化率をＰＤＣＣＨに提供するために使われる論理的割当単位である。ＣＣＥは、複数のリソース要素グループ（resource element group）に対応される。ＣＣＥの数とＣＣＥにより提供される符号化率との関係によってＰＤＣＣＨのフォーマットおよび可能なＰＤＣＣＨのビット数が決定される。
【００３０】
ＰＤＣＣＨを介して送信される制御情報をダウンリンク制御情報（Downlink Control Information；ＤＣＩ）という。ＤＣＩは、ＰＤＳＣＨのリソース割当（これをＤＬグラント（DownLink Grant）ともいう）、ＰＵＳＣＨのリソース割当（これをＵＬグラント（UpLink Grant）ともいう）、任意のＵＥグループ内の個別ＵＥに対する送信パワー制御命令のセットおよび／またはＶｏＩＰ（Voice over Internet Protocol）の活性化を含むことができる。
【００３１】
第２の層にはさまざまな層が存在する。まず、媒体アクセス制御（Medium Access Control；ＭＡＣ）層は、多様な論理チャネル（Logical Channel）を多様なトランスポートチャネルにマッピングさせる役割を遂行し、また、複数の論理チャネルを一つのトランスポートチャネルにマッピングさせる論理チャネル多重化（Multiplexing）の役割を遂行する。ＭＡＣ層は、上位層であるＲＬＣ層とは論理チャネル（Logical Channel）を介して接続されており、論理チャネルは、基本的に（basically）、送信される情報の種類によって、制御プレーン（Control Plane）の情報を送信する制御チャネル（Control Channel）と、ユーザプレーン（User Plane）の情報を送信するトラフィックチャネル（Traffic Channel）と、に分けられる。
【００３２】
第２の層の無線リンク制御（Radio Link Control；ＲＬＣ）層は、上位層から受信したデータをセグメンテーション（分割）（Segmentation）およびコンカチネーション（連結）（Concatenation）して下位層が無線区間へのデータの送信に適合するようにデータの大きさを調節する役割を遂行する。また、各々の無線ベアラ（Radio Bearer；ＲＢ）が要求する多様なＱｏＳを保証（guarantee）可能にするために、ＴＭ（Transparent Mode、透明モード）、ＵＭ（Un-acknowledged Mode、非確認モード）およびＡＭ（Acknowledged Mode、確認モード）の三つの動作モードを提供している。特に、ＡＭ ＲＬＣは、信頼性のあるデータ送信のために、自動再送要求（Automatic Repeat and reQuest；ＡＲＱ）機能を介した再送信機能を遂行している。
【００３３】
第２の層のパケットデータコンバージェンス（収束）プロトコル（Packet Data Convergence Protocol；ＰＤＣＰ）層は、ＩＰｖ４やＩＰｖ６などのＩＰパケット送信時、帯域幅が小さい無線区間で効率的に送信するために相対的に大きさが大きくて不要な制御情報を含んでいるＩＰパケットヘッダのサイズを減らすヘッダ圧縮（Header Compression）機能を遂行する。これは、データのヘッダ（Header）部分で必ず必要な情報のみを送信するようにすることによって、無線区間の送信効率を増加させる役割を遂行する。また、ＬＴＥシステムでは、ＰＤＣＰ層がセキュリティ（Security）機能も実行し、これは、第３者のデータ盗聴を防止する暗号化（Ciphering）と第３者のデータ操作を防止する完全性保護（Integrity protection）とで構成される。
【００３４】
第３層の最も上部に位置する無線リソース制御（Radio Resource Control；以下、ＲＲＣと略称する）層は、制御プレーンでのみ定義され、無線ベアラ（Radio Bearer；以下、ＲＢと略称する）の設定（Configuration）、再設定（Re-configuration）および解放（解除）（Release）と関連して論理チャネル、トランスポートチャネル、および物理チャネルの制御を担当する。このとき、ＲＢは、端末とＥ−ＵＴＲＡＮとの間のデータ伝達のために、第２の層により提供されるサービスを意味する。
【００３５】
上記端末のＲＲＣ層と無線ネットワークのＲＲＣ層との間にＲＲＣ接続（RRC connection）がある場合、端末は、ＲＲＣ接続状態（Connected Mode）であり、そうでない場合、ＲＲＣアイドル状態（Idle Mode）である。
【００３６】
以下、端末のＲＲＣ状態（RRC state）とＲＲＣ接続方法に関して説明する。ＲＲＣ状態とは、端末のＲＲＣがＥ−ＵＴＲＡＮのＲＲＣと論理的接続（logical connection）されているか否かを意味し、接続されている場合はＲＲＣ_ＣＯＮＮＥＣＴＥＤ状態（state）といい、接続されていない場合はＲＲＣ_ＩＤＬＥ状態という。ＲＲＣ_ＣＯＮＮＥＣＴＥＤ状態の端末は、ＲＲＣ接続が存在するため、Ｅ−ＵＴＲＡＮは、該当端末の存在をセル単位で把握することができ、したがって、端末を効果的に制御することができる。これに対し、ＲＲＣ_ＩＤＬＥ状態の端末は、Ｅ−ＵＴＲＡＮが端末の存在を把握することはできず、セルより大きい地域単位であるＴＡ（Tracking Area）単位でコア（core）ネットワークが管理する。即ち、ＲＲＣ_ＩＤＬＥ状態の端末は、セルに比べて大きい地域単位で該当端末の存在の有無のみが把握され、音声やデータなどの通常の移動通信サービスを受けるためには、該当端末がＲＲＣ_ＣＯＮＮＥＣＴＥＤ状態に移動しなければならない。各ＴＡは、ＴＡＩ（Tracking Area Identity）を介して分類される（classified）。端末は、セルで放送（broadcasting）される情報であるＴＡＣ（Tracking Area Code）を介してＴＡＩを構成することができる。
【００３７】
ユーザが端末の電源を最初にオンにしたとき、端末は、まず、適切なセルを探索した後、該当セルでＲＲＣ接続を確立し、コアネットワークに端末の情報を登録する。この後、端末は、ＲＲＣ_ＩＤＬＥ状態にとどまる。ＲＲＣ_ＩＤＬＥ状態にとどまる端末は、必要によって、セルを（再）選択し、システム情報（System information）やページング情報を確認する。これをセルにキャンプオン（Camp on）するという。ＲＲＣ_ＩＤＬＥ状態にとどまっていた端末は、ＲＲＣ接続を確立する必要がある場合はじめてＲＲＣ接続手順（RRC connection procedure）を介してＥ−ＵＴＲＡＮのＲＲＣとＲＲＣ接続を確立し、ＲＲＣ_ＣＯＮＮＥＣＴＥＤ状態に移動する。ＲＲＣ_ＩＤＬＥ状態にあった端末がＲＲＣ接続を確立する必要がある場合は多様であり、例えば、ユーザの通話の試み（call attempt）などの理由でアップリンクデータ送信が必要な場合、または、Ｅ−ＵＴＲＡＮからページングメッセージを受信した場合、これに対する応答メッセージ送信などを挙げることができる。
【００３８】
上記ＲＲＣ層の上位に位置するＮＡＳ（Non-Access Stratum）層は、セッション管理（Session Management）および移動性管理（Mobility Management）などの機能を遂行する。
【００３９】
以下、図３に示すＮＡＳ層に関して詳細に説明する。
【００４０】
ＮＡＳ層に属するＥＳＭ（Evolved Session Management）は、Ｄｅｆａｕｌｔ Ｂｅａｒｅｒ管理およびＤｅｄｉｃａｔｅｄ Ｂｅａｒｅｒ管理などの機能を遂行し、端末がネットワークからＰＳサービスを利用するための制御を担当する。Ｄｅｆａｕｌｔ Ｂｅａｒｅｒリソースは、特定のＰａｃｋｅｔ Ｄａｔａ Ｎｅｔｗｏｒｋ（ＰＤＮ）に最初に接続するときまたはネットワークに接続されるとき、ネットワークから割当を受けるという特徴を有する。このとき、ネットワークは、端末がデータサービスを使用することができるように端末が使用可能なＩＰアドレスを割り当て、また、ｄｅｆａｕｌｔ ｂｅａｒｅｒのＱｏＳを割り当てる。ＬＴＥでは、データ送受信のための特定の帯域幅を保証するＧＢＲ（Guaranteed Bit Rate）ＱｏＳ特性を有するｂｅａｒｅｒと、帯域幅を保証せずにＢｅｓｔ ｅｆｆｏｒｔ ＱｏＳ特性を有するＮｏｎ−ＧＢＲ ｂｅａｒｅｒと、の２種類をサポートする。Ｄｅｆａｕｌｔ ｂｅａｒｅｒの場合、Ｎｏｎ−ＧＢＲ ｂｅａｒｅｒの割当を受ける。Ｄｅｄｉｃａｔｅｄ ｂｅａｒｅｒの場合、ＧＢＲまたはＮｏｎ−ＧＢＲのＱｏＳ特性を有するｂｅａｒｅｒの割当を受けることができる。
【００４１】
ネットワークから端末に割り当てたｂｅａｒｅｒをＥＰＳ（Evolved Packet Service）ｂｅａｒｅｒといい、ＥＰＳ ｂｅａｒｅｒを割り当てる時、ネットワークは、一つのＩＤを割り当てる。これをＥＰＳ Ｂｅａｒｅｒ ＩＤという。一つのＥＰＳ ｂｅａｒｅｒは、ＭＢＲ（Maximum Bit Rate）およびＧＢＲ（Guaranteed Bit Rate）またはＡＭＢＲ（Aggregated Maximum Bit Rate）のＱｏＳ特性を有する。
【００４２】
図５ａは、３ＧＰＰ ＬＴＥにおけるランダムアクセス手順を示す流れ図である。
【００４３】
ランダムアクセス手順は、ＵＥ１０が、基地局、即ち、ｅＮｏｄｅＢ２０とＵＬ同期を得たり、ＵＬ無線リソースの割当を受けるために使われる。
【００４４】
ＵＥ１０は、ルートインデックス（root index）およびＰＲＡＣＨ（Physical Random Access CHannel）設定インデックス（configuration index）をｅＮｏｄｅＢ２０から受信する。各セル毎にＺＣ（Zadoff-Chu）シーケンスにより定義される６４個の候補ランダムアクセスプリアンブル（candidate random access preambles）（ランダムアクセスプリアンブルの候補）があり、ルートインデックスは、端末が６４個の候補ランダムアクセスプリアンブルを生成するための論理的インデックスである。
【００４５】
ランダムアクセスプリアンブルの送信は、各セル毎に特定の時間および周波数リソースに限定される。ＰＲＡＣＨ設定インデックスは、ランダムアクセスプリアンブルの送信が可能な特定のサブフレームおよびプリアンブルフォーマットを指示する。
【００４６】
ＵＥ１０は、任意に選択されたランダムアクセスプリアンブルをｅＮｏｄｅＢ２０に送信する。ＵＥ１０は、６４個の候補ランダムアクセスプリアンブルの中から一つを選択する。そして、ＰＲＡＣＨ設定インデックスにより該当するサブフレームを選択する。ＵＥ１０は、選択されたランダムアクセスプリアンブルを選択されたサブフレームで送信する。
【００４７】
上記ランダムアクセスプリアンブルを受信したｅＮｏｄｅＢ２０は、ランダムアクセス応答（Random Access Response；ＲＡＲ）をＵＥ１０に送る。ランダムアクセス応答は、２ステップにより検出される。まず、ＵＥ１０は、ＲＡ−ＲＮＴＩ（Random Access-RNTI）でマスクされたＰＤＣＣＨを検出する。ＵＥ１０は、検出されたＰＤＣＣＨにより指示されるＰＤＳＣＨ上で、ＭＡＣ（Medium Access Control）ＰＤＵ（Protocol Data Unit）内のランダムアクセス応答を受信する。
【００４８】
図５ｂは、無線リソース制御（ＲＲＣ）層での接続手順を示す。
【００４９】
図５ｂに示すように、ＲＲＣ接続の有無によるＲＲＣ状態が示されている。上記ＲＲＣ状態とは、ＵＥ１０のＲＲＣ層のエンティティ（entity）がｅＮｏｄｅＢ２０のＲＲＣ層のエンティティと論理的に接続されている（in logical connection）か否かを意味し、接続されている場合をＲＲＣ接続状態（connected state）といい、接続されていない状態をＲＲＣアイドル状態（idle state）という。
【００５０】
上記接続状態（Connected state）のＵＥ１０は、ＲＲＣ接続（connection）が存在するため、Ｅ−ＵＴＲＡＮは、該当端末の存在をセル単位で把握することができ、したがって、ＵＥ１０を効果的に制御することができる。これに対し、アイドル状態（idle state）のＵＥ１０は、ｅＮｏｄｅＢ２０が把握することはできず、セルより大きい地域単位であるトラッキングエリア（Tracking Area）単位でコアネットワーク（Core Network）が管理する。上記トラッキングエリア（Tracking Area）は、セルの集合単位である。即ち、アイドル状態（idle state）のＵＥ１０は、大きな地域単位で存在の有無のみが把握され、音声やデータなどの通常の移動通信サービスを受けるためには、端末は、接続状態（connected state）に切り替えなければならない。
【００５１】
ユーザがＵＥ１０の電源を最初にオンにしたとき、上記ＵＥ１０は、まず、適切なセルを探索した後、該当セルでアイドル状態（idle state）にとどまる。上記アイドル状態（idle state）のＵＥ１０は、ＲＲＣ接続を確立する必要があるときになって初めて、ＲＲＣ接続手順（RRC connection procedure）を介してｅＮｏｄｅＢ２０のＲＲＣ層とＲＲＣ接続を確立することによって、ＲＲＣ接続状態（connected state）に切り替わる。
【００５２】
上記アイドル状態（Idle state）の端末がＲＲＣ接続を確立する必要がある場合は多様であり、例えば、ユーザが通話を試みる場合もしくはアップリンクデータ送信などが必要な場合、またはＥＵＴＲＡＮからページングメッセージを受信して、これに対する応答メッセージを送信する場合などを挙げることができる。
【００５３】
アイドル状態（idle state）のＵＥ１０が上記ｅＮｏｄｅＢ２０とＲＲＣ接続を確立するためには、上記したように、ＲＲＣ接続手順（RRC connection procedure）を実行しなければならない。ＲＲＣ接続手順は、概して（generally）、ＵＥ１０がｅＮｏｄｅＢ２０にＲＲＣ接続要求（RRC connection request）メッセージ送信する手順、ｅＮｏｄｅＢ２０がＵＥ１０にＲＲＣ接続設定（RRC connection setup）メッセージを送信する手順、そしてＵＥ１０がｅＮｏｄｅＢ２０にＲＲＣ接続設定完了（RRC connection setup complete）メッセージを送信する手順を含む。これらの手順に関して図４ｂを参照してより詳細に説明すると、下記の通りである。
【００５４】
１）アイドル状態（Idle state）のＵＥ１０は、通話の試み、データ送信の試み、またはｅＮｏｄｅＢ２０のページングに対する応答などの理由でＲＲＣ接続を確立しようとする場合、まず、上記ＵＥ１０は、ＲＲＣ接続要求（RRC connection request）メッセージをｅＮｏｄｅＢ２０に送信する。
【００５５】
２）上記ＵＥ１０からＲＲＣ接続要求メッセージを受信すると、上記ｅＮＢ１０は、無線リソースが十分な場合、上記ＵＥ１０のＲＲＣ接続要求を受諾し、応答メッセージであるＲＲＣ接続設定（RRC connection setup）メッセージを上記ＵＥ１０に送信する。
【００５６】
３）上記ＵＥ１０が上記ＲＲＣ接続設定メッセージを受信すると、上記ｅＮｏｄｅＢ２０にＲＲＣ接続設定完了（RRC connection setup complete）メッセージを送信する。上記ＵＥ１０がＲＲＣ接続設定メッセージの送信に成功すると、そのとき、上記ＵＥ１０は、ｅＮｏｄｅＢ２０とのＲＲＣ接続を確立してＲＲＣ接続モードに切り替わる。
【００５７】
一方、最近、データの爆発的な増加のため、移動通信事業者のコアネットワークの混雑が加重され（増加し、加速し）ている。これを緩和するための方法として、ユーザ端末のデータを事業者のコアネットワークを経由せずに、一般データ通信ネットワークにオフロード（offload）させようとする動きがある。このような動きによって、多重無線アクセス（Multiple radio access）をサポートするためのＩＦＯＭ（IP Flow Mobility and Seamless Offload）、ＭＡＰＣＯＮ（Multi Access PDN CONnectivity）などの技術が提案された。ＭＡＰＣＯＮ技術は、３ＧＰＰアクセスおよびＷｉ−Ｆｉアクセスを各々のＰＤＮ接続（connection）としてデータを送信することであり、ＩＦＯＭ技術は、３ＧＰＰアクセスおよびＷｉ−Ｆｉアクセスを一つのＰＤＮやＰ−ＧＷに束ねてデータを送信することである。
【００５８】
図６ａは、ＩＦＯＭ技術の一例を示す図である。
【００５９】
図６ａを参照すると、ＩＦＯＭは、同じＰＤＮ接続を同時に他の多様なアクセスを介して提供する。このようなＩＦＯＭは、シームレス（Seamless）無線ローカルエリアネットワーク（Wireless Local Area Network；ＷＬＡＮ）へのオフロードを提供する。
【００６０】
また、ＩＦＯＭは、同じ一つのＰＤＮ接続のＩＰフロー（flow）を一つのアクセスから他のアクセスに伝達するものを提供する。
【００６１】
図６ｂは、ＭＡＰＣＯＮ技術の一例を示す図である。
【００６２】
図６ｂを参照して分かるように、ＭＡＰＣＯＮ技術は、複数のＰＤＮ接続、簡単にいうと（easily）、複数のＩＰフロー（flow）を他のアクセスシステムを介して他のＡＰＮに接続させることである。
【００６３】
このようなＭＡＰＣＯＮ技術によって、ＵＥ１０は、以前に使われていないアクセス上で新しいＰＤＮ接続を生成することができる。または、ＵＥ１０は、以前に使われた多様なアクセスの中から選択した一つに新しいＰＤＮ接続を生成することができる。または、ＵＥ１０は、既に接続されている全てのＰＤＮ接続のうち全部または一部を他のアクセスに移転させることもできる。
【００６４】
以上のように、ＵＥのトラフィックを無線ＬＡＮ（Wireless LAN）にオフロードさせることができる技術のため、移動通信事業者のコアネットワークの混雑を減らすことができるようになった。
【００６５】
トラフィックを一般的なデータ通信ネットワークにオフロードさせるために、事業者は、ポリシを端末に提供し、上記端末は、上記ポリシによって自分のデータを無線ＬＡＮ（Wireless LAN）にオフロードさせることができる。
【００６６】
このようなポリシを端末にプロビジョニング（provisioning）するために、３ＧＰＰに基づいているＡＮＤＳＦ（Access Network Discovery and Selection Function）が、無線ＬＡＮ（Wireless LAN）と関連したポリシを提供することができるように改善された。
【００６７】
図７ａおよび図７ｂは、アクセスネットワークの選択のためのネットワーク制御エンティティを示す。
【００６８】
図７ａを参照して分かるように、ＡＮＤＳＦは、ＵＥ１０のホームネットワーク（Home Public Land Mobile Network：以下‘ＨＰＬＭＮ’という）において存在できる。また、図７ｂを参照して分かるように、ＡＮＤＳＦは、ＵＥ１０の訪問ネットワーク（Visited Public Land Mobile Network：以下‘ＶＰＬＭＮ’という）においても存在できる。このようにホームネットワークに位置する場合はＨ−ＡＮＤＳＦ６１といい、訪問ネットワークに位置する場合はＶ−ＡＮＤＳＦ６２という。以下、ＡＮＤＳＦ６０は、Ｈ−ＡＮＤＳＦ６１またはＶ−ＡＮＤＳＦ６２の通称である。
【００６９】
上記ＡＮＤＳＦは、システム間（inter-system）移動ポリシに関する情報、アクセスネットワーク探索のための情報、そしてシステム間（inter-system）ルーティングに関する情報、例えば、Ｒｏｕｔｉｎｇ Ｒｕｌｅを提供することができる。
【００７０】
ところが、ＵＥ１０がホームネットワークから訪問ネットワークにローミングする状況を仮定する。このとき、上記ＵＥ１０は、ホームネットワークではＨ−ＡＮＤＳＦからポリシ情報を受信し、訪問ネットワーク内ではＶ−ＡＮＤＳＦからポリシ情報をさらに受信したと仮定する。このような状況で、ＵＥ１０は、いずれのポリシ情報を使用すべきかが問題となる。
【発明の概要】
【発明が解決しようとする課題】
【００７１】
したがって、本明細書が開示する一実施形態は、前述した問題点を解決することができる方法を提示することを目的とする。
【課題を解決するための手段】
【００７２】
上記の目的を達成するために、本明細書が開示する一実施形態は、ユーザ装置（User Equipment；ＵＥ）がネットワーク選択およびトラフィックルーティングを実行する方法を提供する。この方法は、第１の無線アクセスネットワーク （Radio Access Network；ＲＡＮ）サポート（支援）情報（assistance information）を受信するステップと、第２のＲＡＮサポート情報（RAN assistance information）を受信するステップと、ネットワーク選択およびトラフィックルーティングのために、第１のＲＡＮサポート情報を適用するか、または、第２のＲＡＮサポート情報を適用する、ステップと、を有する。ここで、第１のＲＡＮサポート情報がホーム（Home）公衆地上移動ネットワーク（Public Land Mobile Network；ＰＬＭＮ）で受信された場合、ＵＥが訪問（Visited）ＰＬＭＮに登録された場合、および、第２のＲＡＮサポート情報が訪問ＰＬＭＮで受信された場合、第２のＲＡＮサポート情報が使われる。
【００７３】
上記方法は、アクセスネットワーク発見および選択機能 （Access Network Discovery and Selection Function；ＡＮＤＳＦ）の少なくとも一つの規則を受信するステップと、第１または第２のＲＡＮサポート情報を利用し、ＡＮＤＳＦの少なくとも一つの規則を評価するステップと、をさらに有する。
【００７４】
第１のＲＡＮサポート情報または第２のＲＡＮサポート情報は、ユニバーサル移動電話システム（ＵＭＴＳ）地上無線アクセスネットワーク（UMTS (Universal Mobile Telecommunications System) Terrestrial Radio Access Network；ＵＴＲＡＮ）または発展型ＵＴＲＡＮ（Evolved-UTRAN；Ｅ−ＵＴＲＡＮ）から受信される。
【００７５】
また、上記目的を達成するために、本明細書が開示する他の一実施形態は、ユーザ装置（User Equipment；ＵＥ）がネットワーク選択およびトラフィックルーティングを実行する方法を提供する。この方法は、アクセスネットワーク発見および選択機能（Access Network Discovery and Selection Function；ＡＮＤＳＦ）の少なくとも一つの規則を受信するステップと、第１の無線アクセスネットワーク（Radio Access Network；ＲＡＮ）サポート情報を受信するステップと、第２のＲＡＮサポート情報を受信するステップと、ネットワーク選択およびトラフィックルーティングのために、第１のＲＡＮサポート情報を利用するか、または、第２のＲＡＮサポート情報を利用するステップと、を有する。ここで、第１のＲＡＮサポート情報がホーム（Home）公衆地上移動ネットワーク（Public Land Mobile Network；ＰＬＭＮ）で受信された場合、ＵＥが訪問（Visited）ＰＬＭＮに登録された場合、および、第２のＲＡＮサポート情報が訪問ＰＬＭＮで受信された場合、訪問ＰＬＭＮでは第２のＲＡＮサポート情報が利用される。ここで、第２のＲＡＮサポート情報は、ＡＮＤＳＦの少なくとも一つの規則を評価するのに利用される。
【発明の効果】
【００７６】
本明細書の開示によると、従来技術の問題点を解決することができる。
【図面の簡単な説明】
【００７７】
【図１】発展型移動通信ネットワークの構造図である。
【図２】一般的なＥ−ＵＴＲＡＮおよび一般的なＥＰＣのアーキテクチャの例を示す図である。
【図３】ＵＥとｅＮｏｄｅＢとの間の制御プレーンにおける無線インターフェースプロトコル（Radio Interface Protocol）の構造の一例を示す図である。
【図４】端末と基地局との間のユーザプレーンにおける無線インターフェースプロトコル（Radio Interface Protocol）の構造の一例を示す他の図である。
【図５ａ】３ＧＰＰ ＬＴＥにおけるランダムアクセス手順を示す流れ図である。
【図５ｂ】無線リソース制御（ＲＲＣ）層での接続手順を示す図である。
【図６ａ】ＩＦＯＭ技術の一例を示す図である。
【図６ｂ】ＭＡＰＣＯＮ技術の一例を示す図である。
【図７ａ】アクセスネットワークの選択のためのネットワーク制御エンティティを示す図である。
【図７ｂ】アクセスネットワークの選択のためのネットワーク制御エンティティを示す図である。
【図８ａ】ＵＥがホームネットワークから訪問ネットワークにローミングした状況における問題の一例を示す図である。
【図８ｂ】ＵＥがホームネットワークから訪問ネットワークにローミングした状況における問題の一例を示す図である。
【図９】図８ａおよび図８ｂに示す問題点を解決するための方法の一例を示す図である。
【図１０ａ】ＡＮＤＳＦポリシ以外に新しく定義されたＲＡＮ規則情報がＵＥに提供される例を示す図である。
【図１０ｂ】ＡＮＤＳＦからのポリシ情報およびＲＡＮ規則（ＲＡＮサポート情報）の両方ともがＵＥに提供される場合の問題点を示す図である。
【図１１】図１０ａおよび図１０ｂに示す問題点を解決するための第１の方法を示す図である。
【図１２】図１０ａおよび図１０ｂに示す問題点を解決するための第２の方法を示す図である。
【図１３】ＵＥのローミング状況の一例を示す図である。
【図１４】ＲＡＮ規則（ＲＡＮサポート情報）とＲＡＮ規則（ＲＡＮサポート情報）に関するＲＡＮ有効性条件とを含むように改善されたＡＮＤＳＦポリシを受信する例を示す図である。
【図１５ａ】ＩＳＲＰがＲＡＮ規則（ＲＡＮサポート情報）に関するＲＡＮ有効性条件を含むように改善された例を示す図である。
【図１５ｂ】図１５ａに示すＲＡＮ有効性条件を詳細に例示する図である。
【図１６】図１４に示す状況におけるＵＥの動作を例示する図である。
【図１７】本発明の実施例に係るＵＥ１００および基地局２００の構成ブロック図である。
【発明を実施するための形態】
【００７８】
本発明は、ＵＭＴＳ（Universal Mobile Telecommunication System）およびＥＰＣ（Evolved Packet Core）を基準にして説明するが、これらの通信システムにのみ限定されるものではなく、本発明の技術的思想が適用されることができる全ての通信システムおよび方法にも適用されることができる。
【００７９】
本明細書で使われる技術用語は、単に特定の実施例を説明するために使われたものであり、本発明を限定するものではないことに留意しなければならない。また、本明細書で使われる技術用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術用語が本発明の思想を正確に表現することができない技術用語である場合、当業者が正確に理解することができる技術用語に変えて理解しなければならない。また、本発明で使われる一般的な用語は、事前の定義によってまたは前後の文脈によって解釈されなければならず、過度に縮小された意味で解釈されてはならない。
【００８０】
また、本明細書で使われる単数の表現は、文脈上、明白に異なる意味ではない限り、複数の表現を含む。本出願において、“構成される”または“有する”などの用語は、明細書上に記載された多様な構成要素、または多様なステップを必ず全部含むと解釈されてはならず、そのうち一部の構成要素または一部のステップは含まれない場合もあり、または追加の構成要素またはステップをさらに含む場合もあると解釈されなければならない。
【００８１】
また、本明細書で使われる第１および第２などのように序数を含む用語は、多様な構成要素の説明に使われることができるが、上記構成要素は、上記用語により限定されてはならない。上記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００８２】
一構成要素が他の構成要素に“連結されている”または“接続されている”と言及された場合は、該当他の構成要素に直接的に連結されており、または接続されていることもあるが、中間に他の構成要素が存在することもある。これに対し、一構成要素が他の構成要素に“直接連結されている”または“直接接続されている”と言及された場合は、中間に他の構成要素が存在しないと理解しなげればならない。
【００８３】
以下、添付図面を参照して本発明による好ましい実施例を詳細に説明し、図面の番号に関係なく（すべての図面を通して（throughout the drawings））同じまたは類似の構成要素は同じ参照符号を付与し、これに関して重複する説明は省略する。また、本発明を説明するにあたって、関連した公知技術に関する具体的な説明が本発明の要旨を不明確にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面以外に全ての変更、均等物乃至代替物にまで拡張されると解釈されなければならない。
【００８４】
添付図面には例示としてＵＥ（User Equipment）が示されているが、図示された上記ＵＥは、端末（Terminal）、ＭＥ（Mobile Equipment）などの用語で呼ばれる場合もある。また、上記ＵＥは、ノートブック、携帯電話、ＰＤＡ、スマートフォン（Smart Phone）、マルチメディア機器などのように携帯可能な機器であるか、または、ＰＣおよび車両搭載装置などのように携帯不能な機器である。
【００８５】
用語の定義
以下、図面を参照して説明する前に、本発明の理解を容易にするために、本明細書で使われる用語を簡単に定義する。
【００８６】
ＧＥＲＡＮ：GSM EDGE Radio Access Networkの略字であって、ＧＳＭ／ＥＤＧＥによるコアネットワークと端末とを接続する無線接続区間を意味する。
【００８７】
ＵＴＲＡＮ：Universal Terrestrial Radio Access Networkの略字であって、第３世代移動通信のコアネットワークと端末とを接続する無線接続区間を意味する。
【００８８】
Ｅ−ＵＴＲＡＮ：Evolved Universal Terrestrial Radio Access Networkの略字であって、第４世代移動通信、即ち、ＬＴＥのコアネットワークと端末とを接続する無線接続区間を意味する。
【００８９】
ＵＭＴＳ：Universal Mobile Telecommunication Systemの略字であって、第３世代移動通信のコアネットワークを意味する。
【００９０】
ＵＥ／ＭＳ：User Equipment／Mobile Station、端末装置を意味する。
【００９１】
ＥＰＳ：Evolved Packet Systemの略字であって、ＬＴＥ（Long Term Evolution）ネットワークをサポートするコアネットワークを意味する。ＵＭＴＳが発展した形態のネットワーク。
【００９２】
ＰＤＮ（Public Data Network）：サービスを提供するサーバが位置する独立ネットワーク。
【００９３】
ＰＤＮ ｃｏｎｎｅｃｔｉｏｎ：端末からＰＤＮへの接続、即ち、ｉｐアドレスで表現される端末とＡＰＮで表現されるＰＤＮとの関連付け（association）（または接続（connection））。
【００９４】
ＰＤＮ−ＧＷ（Packet Data Network Gateway）：ＵＥ ＩＰ ａｄｄｒｅｓｓ ａｌｌｏｃａｔｉｏｎ、Ｐａｃｋｅｔ ｓｃｒｅｅｎｉｎｇ＆ｆｉｌｔｅｒｉｎｇ、Ｃｈａｒｇｉｎｇ ｄａｔａ ｃｏｌｌｅｃｔｉｏｎ機能を遂行するＥＰＳネットワークのネットワークノード。
【００９５】
Ｓｅｒｖｉｎｇ ＧＷ（Serving GateWay）：モビリティ（移動性）アンカ（Mobility anchor）、パケットルーティング（Packet routing）、アイドルモードパケットバッファリング（Idle mode packet buffering）、Ｔｒｉｇｇｅｒｉｎｇ ＭＭＥ ｔｏ ｐａｇｅ ＵＥ機能を遂行するＥＰＳネットワークのネットワークノード。
【００９６】
ＰＣＲＦ（Policy and Charging Rule Function）：サービスフロー（flow）別に異なる（different）ＱｏＳおよび課金ポリシを動的（dynamic）に適用するためのポリシ決定（Policy decision）を実行するＥＰＳネットワークのノード。
【００９７】
アクセスポイント名（Access Point Name；ＡＰＮ）：ネットワークで管理する接続ポイントの名称であって、ＵＥに提供される。即ち、ＰＤＮを示したり（denotes）識別する（identifies）文字列。要求したサービスやネットワーク（ＰＤＮ）に接続するためには該当するＰ−ＧＷを経由するようになり、このＰ−ＧＷをさがすことができるようにネットワーク内で予め定義した名称（文字列）。例えば、ｉｎｔｅｒｎｅｔ.ｍｎｃ０１２.ｍｃｃ３４５.ｇｐｒｓ。
【００９８】
ＴＥＩＤ（Tunnel Endpoint IDentifier）：ネットワーク内のノード間で設定されたトンネルのＥｎｄ ｐｏｉｎｔ ＩＤ、各ＵＥのｂｅａｒｅｒ単位に区間別に設定される。
【００９９】
ＮｏｄｅＢ：ＵＭＴＳネットワークの基地局であって、屋外に設置され、セルカバレッジの規模はマクロセルに対応（該当）する（corresponds）。
【０１００】
ｅＮｏｄｅＢ：ＥＰＳ（Evolved Packet System）の基地局であって、屋外に設置され、セルカバレッジの規模はマクロセルに対応する。
【０１０１】
（ｅ）ＮｏｄｅＢ：ＮｏｄｅＢおよびｅＮｏｄｅＢを示す用語である。
【０１０２】
ＭＭＥ：Mobility Management Entityの略字であって、ＵＥに関するセッションおよび移動性を提供するためにＥＰＳ内で各エンティティを制御する役割を遂行する。
【０１０３】
セッション（Session）：セッションは、データ送信のための通信路であって、その単位は、ＰＤＮ、Ｂｅａｒｅｒ、ＩＰ ｆｌｏｗ単位などになる。各単位は、３ＧＰＰで定義したようにターゲットネットワーク全体の単位（ＡＰＮまたはＰＤＮ単位）、このターゲットネットワーク全体内におけるＱｏＳに基づいて分類される単位（Ｂｅａｒｅｒ単位）、宛先ＩＰアドレス単位に分類されることができる。
【０１０４】
ＰＤＮ接続（connection）：端末からＰＤＮへの接続、即ち、ＩＰアドレスで表現される端末とＡＰＮで表現されるＰＤＮとの関連付け（または接続）を示す。これはセッションが形成されることができるコアネットワーク内のエンティティ間接続（端末−ＰＤＮ ＧＷ）を意味する。
【０１０５】
ＵＥ Ｃｏｎｔｅｘｔ：ネックワークでＵＥを管理するために使われるＵＥの状況（situation）情報、即ち、ＵＥ ｉｄ、移動性（現在位置など）、セッションの属性（ＱｏＳ、優先順位など）を有する状況情報。
【０１０６】
ＮＡＳ（Non-Access-Stratum）：ＵＥとＭＭＥとの間の制御プレーン（control plane）の上位ｓｔｒａｔｕｍ。ＵＥとネットワークとの間の移動性管理（Mobility management）およびセッション管理（Session management）、ＩＰアドレス管理（IP address maintenance）などをサポート。
【０１０７】
ＲＡＴ：Radio Access Technologyの略字であって、ＧＥＲＡＮ、ＵＴＲＡＮ、Ｅ−ＵＴＲＡＮなどを意味する。
【０１０８】
ＡＮＤＳＦ（Access Network Discovery and Selection Function）：一つのネットワークｅｎｔｉｔｙであって、事業者単位に端末が使用可能なａｃｃｅｓｓを発見して選択するようにするＰｏｌｉｃｙを提供。
【０１０９】
一方、以下では図面を参照して説明する。
【０１１０】
図８ａおよび図８ｂは、ＵＥがホームネットワークから訪問ネットワークにローミングした状況における問題の一例を示す図である。
【０１１１】
図８ａおよび図８ｂを参照して分かるように、ＵＥ１００がホームネットワーク（ＨＰＬＭＮ）でＨ−ＡＮＤＳＦ６１０からポリシ情報を受信した後、訪問ネットワーク（ＶＰＬＭＮ）にローミングする場合、Ｖ−ＡＮＤＳＦ６２０からポリシ情報をさらに受信する。
【０１１２】
ここで、上記ポリシ情報は、システム間移動性ポリシ（Inter-System Mobility Policy：ＩＳＭＰ）、システム間ルーティングポリシ（Inter-System Routing Policy：ＩＳＲＰ）、ＡＰＮ間ルーティングポリシ（Inter APN Routing Policy：ＩＡＲＰ）、無線ＬＡＮ選択ポリシ（WLAN Selection Policy：ＷＬＡＮＳＰ）を含むことができる。
【０１１３】
このようにＵＥ１００が２個のネットワーク（ＰＬＭＮ）からポリシ情報を受信した場合、上記ＵＥ１００がいずれのポリシ情報を優先的に使用しなければならないかが技術的に不明であるという問題点がある。
【０１１４】
図９は、図８ａおよび図８ｂに示す問題点を解決するための方法の一例を示す図である。
【０１１５】
図９を参照すると、まず、ＵＥは、ＶＰＬＭＮがＨＰＬＭＮより選好される（優先する、好適である）（preferred）か否かを判断する。ＶＰＬＭＮが選好される場合、Ｖ−ＡＮＤＳＦからのポリシ情報を適用する。
【０１１６】
ＶＰＬＭＮが選好されない場合、Ｈ−ＡＮＤＳＦからのポリシ情報が適用可能か否かを判断する。
【０１１７】
ただし、ＶＰＬＭＮが選好されるが、Ｖ−ＡＮＤＳＦからのポリシ情報が適用可能でない場合は、ＵＥは、Ｈ−ＡＮＤＳＦからのポリシ情報を適用することができる。
【０１１８】
図１０ａは、ＡＮＤＳＦポリシ以外に新しく定義されたＲＡＮ規則（ＲＡＮサポート情報）がＵＥに提供される例を示す。
【０１１９】
図１０ａに示すように、ＵＥ１００がＡＮＤＳＦ６００からポリシ情報を受信することもできるが、Ｅ−ＵＴＲＡＮ（または、ＵＴＲＡＮ）の基地局２００からＲＡＮ（Radio Access Network）サポート情報を受信することもができる。
【０１２０】
上記ＲＡＮサポート情報は、下記のような閾値およびパラメータを含むことができる。
−３ＧＰＰアクセス閾値
−ＷＬＡＮアクセス閾値
−オフロード選好インジケータ（Offload Preference Indication；ＯＰＩ）値
【０１２１】
上記３ＧＰＰアクセス閾値は、ＵＴＲＡおよび／またはＥ−ＵＴＲＡ無線パラメータの一部、例えば、Ｅ−ＵＴＲＡに関する下限（low）／上限（high）ＲＳＲＰ閾値、ＵＴＲＡに関する下限（low）／上限（high）ＣＰＩＣＨ Ｅｃ／Ｎｏ閾値を定義する。ＷＬＡＮアクセス閾値は、ＷＬＡＮアクセスパラメータの一部に関する下限（low）／上限（high）、例えば、下限（low）／上限（high）ビーコン（Beacon）ＲＳＳＩ閾値、下限（low）／上限（high）ＵＬ／ＤＬバックホールデータレート閾値、および下限（low）／上限（high）チャネル利用率（utilization）閾値を定義する。上記ＵＬ／ＤＬバックホールデータレートは、ｈｏｔｓｐｏｔ２.０で定義される。チャネル利用率およびビーコンＲＳＳＩは、ＩＥＥＥ８０２.１１で定義される。
【０１２２】
ＲＡＮにより提供されるＯＰＩ値は、ビットマップ形式（即ち、１次ビット配列）であって、ＵＥが特定のトラフィック（例えば、特定のＩＰ ｆｌｏｗ）をＷＬＡＮアクセスまたは３ＧＰＰアクセスにいつ移動させる（move）かについての決定を可能にする。
【０１２３】
ＵＴＲＡＮまたはＥ−ＵＴＲＡＮセルでＵＥに提供される閾値およびパラメータは、ＡＤＮＳＦ規則に関する有効性（validity）に影響を及ぼし、与えられたセルにおいてＲＡＮにより設定された条件に関する規則である。
【０１２４】
ＷＬＡＮネットワーク選択およびトラフィックルーティングに関するユーザ選好度（優先度、好適度）（preferences）は、ＡＮＤＳＦ規則およびＲＡＮ規則より優先されることができる。
【０１２５】
ＲＡＮサポート情報に含まれている３ＧＰＰアクセス閾値、ＩＰ値、一部のＷＬＡＮアクセス値は、下記のＡＮＤＳＦ規則により利用されることができる。
【０１２６】
−ＩＳＲＰ規則、即ち、ＩＦＯＭに関するＩＳＲＰ規則、ＭＡＰＣＯＮに関するＩＳＲＰ規則、ＮＳＷＯに関するＩＳＲＰ規則。
【０１２７】
−ＩＡＲＰ規則、即ち、ＡＰＮに関するＩＡＲＰ規則、ＮＳＷＯに関するＩＡＲＰ規則。
【０１２８】
ＡＮＤＳＦ規則は、上記ＲＡＮサポート情報内にある上記下限／上限のビーコンＲＳＳＩ閾値、上記下限／上限のＷＬＡＮチャネル利用率および上記下限／上限のＵＬ／ＤＬ ＷＬＡＮバックホールデータレート閾値を利用することができる。これらの閾値は、“ＲＡＮ提供ＷＬＡＮアクセス閾値”とも呼ばれる。
【０１２９】
図１０ｂは、ＡＮＤＳＦからのポリシ情報およびＲＡＮ規則（ＲＡＮサポート情報）の両方ともがＵＥに提供される場合の問題点を示す。
【０１３０】
図１０ｂを参照して分かるように、ＵＥ１００がＡＮＤＳＦからのポリシ情報とＲＡＮ規則の両方ともを有するようになった場合、上記ＵＥ１００は、いずれを優先的に使用しなければならないかといったような技術的に不明な問題点がある。
【０１３１】
即ち、ＲＡＮ規則とＡＮＤＳＦポリシとが同時にＵＥに提供される場合に問題がある。
【０１３２】
さらに、このような問題は、ＵＥがホームネットワーク（ＨＰＬＭＮ）から訪問ネットワーク（ＶＰＬＭＮ）にローミングした場合にさらに悪化（加重）される（aggravated）。例えば、ホームネットワーク（ＨＰＬＭＮ）内のＨ−ＡＮＤＳＦから提供されたポリシ、訪問ネットワーク（ＶＰＬＭＮ）内のＨ−ＡＮＤＳＦから提供されたポリシ、訪問ネットワーク（ＶＰＬＭＮ）内の基地局から提供されたＲＡＮ規則が存在するようになり、ＵＥは、いずれを優先して使用しなければならないかが分からないという問題点がある。
【０１３３】
<本明細書の開示>
本明細書の開示によると、ＵＥは、ＲＡＮ規則およびＲＡＮパラメータを適用することができ、ＡＮＤＳＦポリシも適用することができるように設定されていると仮定する。
【０１３４】
以下、ＵＥが訪問ネットワークにローミングせずに、ホームネットワークにとどまっている場合と、訪問ネットワークにローミングした場合と、に分けて説明する。
【０１３５】
（Ａ）まず、ＵＥが訪問ネットワークにローミングしない状況に関して説明する。
【０１３６】
ＵＥは、ローミング状態であるか否かを判断する。
【０１３７】
そして、ＵＥは、現在ＰＬＭＮで提供されるものがＡＮＤＳＦポリシおよびＲＡＮ規則のうちどちらに該当するかを判断し、現在ＰＬＭＮで提供されているものを適用する。
【０１３８】
現在ＰＬＭＮで提供されているポリシが多数の場合、ＲＡＮ規則またはＡＮＤＳＦポリシのうちいずれのポリシを選好するかを示すフラグ（flag）に基づいていずれか一つのポリシを適用する。
【０１３９】
上記フラグは、本明細書が開示する一実施形態によって、ＡＮＤＳＦポリシ、ＲＡＮ規則またはＲＡＮパラメータ内に追加して含まれることができる。
【０１４０】
（Ｂ）次に、ＵＥが訪問ネットワークにローミングした状況に関して説明する。
【０１４１】
本明細書が開示する一実施形態は、ＵＥが訪問ネットワークにローミングした状況での問題点を解決するために、既にＵＥに設定されている情報、例えば“（ｎｏｔ） ｐｒｅｆｅｒ ＷＬＡＮ ｓｅｌｅｃｔｉｏｎ ｒｕｌｅｓ ｐｒｏｖｉｄｅｄ ｂｙ ｔｈｅ ＨＰＬＭＮ”を拡張（拡大）する（extend）ことを提案する。即ち、既にＵＥに設定されている情報がＶＰＬＭＮで提供されるポリシを選好する場合、Ｈ−ＡＮＤＳＦで提供されるポリシと比較して、ＶＡＮＤＳＦで提供されたポリシを選好すると解釈されたが、これを拡張してＶＡＮＤＳＦポリシだけでなく、ＶＰＬＭＮで提供されたＲＡＮ規則まで含んで、全てのＶＰＬＭＮのポリシを選好するという意味で解釈できる。
【０１４２】
その代案として、ＶＰＬＭＮでのＶＡＮＤＳＦのポリシ情報だけでなく、ＲＡＮ規則も選好されることを意味する専用（別途）の（dedicated）シグナルをＵＥに提供するか、または、ＶＰＬＭＮのＲＡＮ規則のみを選好するという意味の専用のシグナルをＵＥに提供することができる。
【０１４３】
ＵＥの動作を説明すると、以下の通りである。
【０１４４】
ＵＥは、ローミング状態であるか否かを判断する。
【０１４５】
そして、ＵＥは、現在ＰＬＭＮで提供されるものがＡＮＤＳＦポリシおよびＲＡＮ規則のうちいずれに該当するかを判断する。
【０１４６】
次に、ＵＥは、ＶＰＬＭＮに対する選好度に関する設定を確認する。ＶＰＬＭＮのポリシが選好される場合、ＵＥは、ＶＰＬＭＮで提供しているポリシを適用する。
【０１４７】
しかし、現在ＶＰＬＭＮで提供しているポリシが複数（多数）（multiple）である場合、ＲＡＮ規則またはＡＮＤＳＦポリシのうちいずれのポリシを適用することを選好するかを示すフラグに基づいて、いずれか一つを選択して適用する。
【０１４８】
これに対し、ＶＰＬＭＮのポリシが選好されない場合、ＨＰＬＭＮで提供しているポリシを適用する。
【０１４９】
ＨＰＬＭＮで提供されるポリシがＲＡＮ規則のみの場合、ＵＥは、ＨＰＬＭＮで提供したＲＡＮ規則がＶＰＬＭＮでは意味がないため、適用するポリシがないと判断する。
【０１５０】
図１１は、図１０ａおよび図１０ｂに示す問題点を解決するための第１の方法を示す。
【０１５１】
図１１を参照すると、ＵＥは、ＶＰＬＭＮにおけるＡＮＤＳＦポリシまたはＲＡＮ規則が、ＨＰＬＭＮにおけるＡＮＤＳＦポリシまたはＲＡＮ規則より選好されるか否かを判断する（Ｓ１１０１）。
【０１５２】
ＶＰＬＭＮが選好される場合（Ｓ１１０１）、ＵＥは、Ｖ−ＡＮＤＳＦのポリシ情報が利用可能か否かを判断する（Ｓ１１０２）。ＶＰＬＭＮでのＶ−ＡＮＤＳＦのポリシ情報が利用可能ではなく（Ｓ１１０２）、ＶＰＬＭＮではＲＡＮ規則のみが利用可能な場合、該当するＲＡＮ規則を適用する（Ｓ１１０４）。
【０１５３】
ＶＰＬＭＮが選好され（Ｓ１１０１）、Ｖ−ＡＮＤＳＦのポリシ情報のみが利用可能な場合（Ｓ１１０２）、ＵＥは、Ｖ−ＡＮＤＳＦのポリシ情報を適用することができるか否かを判断する（Ｓ１１０５）。適用可能な場合（Ｓ１１０５）、ＵＥは、Ｖ−ＡＮＤＳＦのポリシ情報を適用する（Ｓ１１０６）。しかし、適用できない場合（Ｓ１１０５）、ＨＰＬＭＮで受信したＨ−ＡＮＤＳＦのポリシ情報を適用する（Ｓ１１１０）。
【０１５４】
ＶＰＬＭＮが選好され（Ｓ１１０１）、Ｖ−ＡＮＤＳＦのポリシ情報とＲＡＮ規則の両方とも利用可能な場合、ＵＥは、フラグによっていずれか一つを選択する。
【０１５５】
一方、ＶＰＬＭＮが選好されない場合（Ｓ１１０１）、ＵＥは、Ｈ−ＡＮＤＳＦのポリシ情報が利用可能か否かを判断する（Ｓ１１０７）。ＨＰＬＭＮにおけるＨ−ＡＮＤＳＦのポリシ情報が利用可能ではなく（Ｓ１１０７）、ＶＰＬＭＮではＲＡＮ規則のみが利用可能な場合、該当するＲＡＮ規則を適用する（Ｓ１１０８）。
【０１５６】
ＶＰＬＭＮが選好されず（Ｓ１１０１）、Ｈ−ＡＮＤＳＦのポリシ情報のみが利用可能な場合（Ｓ１１０７）、ＵＥは、ＨＰＬＭＮで受信したＨ−ＡＮＤＳＦのポリシ情報を適用する（Ｓ１１１０）。
【０１５７】
ＶＰＬＭＮが選好されず（Ｓ１１０１）、Ｈ−ＡＮＤＳＦのポリシ情報とＲＡＮ規則の両方とも利用可能な場合、ＵＥは、フラグによっていずれか一つを選択する。
【０１５８】
図１２は、図１０ａおよび図１０ｂに示す問題点を解決するための第２の方法を示す。
【０１５９】
図１２を参照すると、図１１に示すものにＲＡＮ規則適用フラグによる動作が追加されている。具体的に説明すると、下記の通りである。
【０１６０】
ＵＥは、ＶＰＬＭＮにおけるＡＮＤＳＦポリシまたはＲＡＮ規則が、ＨＰＬＭＮにおけるＡＮＤＳＦポリシまたはＲＡＮ規則より選好されるか否かを判断する（Ｓ１２０１）。
【０１６１】
ＶＰＬＭＮが選好される場合（Ｓ１２０１）、ＵＥは、Ｖ−ＡＮＤＳＦのポリシ情報が有効であるか否かを判断する（Ｓ１２０２）。ＶＰＬＭＮにおけるＶ−ＡＮＤＳＦのポリシ情報が有効でない場合（Ｓ１２０２）、ＲＡＮ規則適用に対するフラグが設定されているか否かを判断する（Ｓ１２０３）。
【０１６２】
上記フラグが設定されている場合、該当するＲＡＮ規則を適用する（Ｓ１２０４）。これに対し、上記フラグが設定されていない場合、Ｖ−ＡＮＤＳＦのポリシを適用する（Ｓ１２０６）。
【０１６３】
これに対し、ＶＰＬＭＮが選好され（Ｓ１２０１）、Ｖ−ＡＮＤＳＦのポリシ情報が有効な場合（Ｓ１２０２）、ＵＥは、Ｖ−ＡＮＤＳＦのポリシ情報を適用することができるか否かを判断する（Ｓ１２０５）。適用可能な場合（Ｓ１２０５）、ＵＥは、Ｖ−ＡＮＤＳＦのポリシ情報を適用する（Ｓ１２０６）。しかし、適用できない場合（Ｓ１２０５）、ＨＰＬＭＮで受信したＨ−ＡＮＤＳＦのポリシ情報を適用する（Ｓ１２１０）。
【０１６４】
一方、ＶＰＬＭＮが選好されない場合（Ｓ１２０１）、ＵＥは、Ｈ−ＡＮＤＳＦのポリシ情報が有効であるか否かを判断する（Ｓ１２０７）。ＨＰＬＭＮでのＨ−ＡＮＤＳＦのポリシ情報が有効でない場合（Ｓ１２０７）、ＲＡＮ規則の適用に関するフラグが設定されているか否かを判断する（Ｓ１２０８）。
【０１６５】
上記フラグが設定されている場合、該当するＲＡＮ規則を適用する（Ｓ１２０９）。これに対し、上記フラグが設定されていない場合、Ｖ−ＡＮＤＳＦのポリシを適用する（Ｓ１２１０）。
【０１６６】
以上の説明は、下記のように整理することができる。
【０１６７】
ＰＬＭＮ（例えば、ＨＰＬＭＮまたはＶＰＬＭＮ）内ではＡＮＤＳＦポリシのみが提供されるか、ＲＡＮ規則のみが提供されるか、または、両方とも提供されることができる。
【０１６８】
ＵＥは、ＲＡＮ規則およびＡＮＤＳＦポリシの両方とも受信することができ、ネットワーク選択およびトラフィックルーティングのために適用できる。
【０１６９】
１．ＵＥは、ＡＮＤＳＦポリシおよびＲＡＮ規則のうちいずれか一つのみを使用することができ、両方ともを同時に使用することはできない。即ち、ＵＥは、ネットワーク選択およびトラフィックルーティングのためにＲＡＮ規則のみを使用するか、または、ネットワーク選択およびトラフィックルーティングのためにＡＮＤＳＦポリシのみを使用することができる。ＡＮＤＳＦポリシがＵＥに提供された場合、ＡＮＤＳＦポリシは、ＲＡＮ規則より優先する。
【０１７０】
２．ＨＰＬＭＮにおけるポリシとＶＰＬＭＮにおけるポリシとの間の優先順位に関して、ＵＥは、活性（アクティブ）（active）ＡＮＤＳＦ規則を選択することと類似する方式を使用するように設定されることができる。即ち、ＵＥは、ＨＰＬＭＮで提供されたネットワーク選択およびトラフィックルーティング規則を優先してもよく、優先しなくてもよい。“ＨＰＬＭＮで提供されたネットワーク選択およびトラフィックルーティング規則を優先しない”とは、“ネットワーク選択およびトラフィックルーティングのためにＶＰＬＭＮの全てのポリシを尊重する”に拡張することができる。即ち、ＶＰＬＭＮにおけるＲＡＮ規則だけでなく、ＶＰＬＭＮにおけるＡＮＤＳＦ規則がＨＰＬＭＮにおけるＡＮＤＳＦ規則より優先する。
【０１７１】
本明細書が開示する一実施形態によると、ＵＥがローミング状況でない場合、ＡＮＤＳＦポリシがＵＥに提供されると、ＵＥは、ＡＮＤＳＦポリシを適用する。
【０１７２】
このとき、ＵＥがＲＡＮサポート情報を基地局またはＲＮＣから受信する場合、上記ＲＡＮサポート情報を、ＡＮＤＳＦポリシを評価するときに考慮することができる。そして、ＡＮＤＳＦ ＭＯ（Management Object）は、上記ＲＡＮサポート情報に基づいて更新されることができる。
【０１７３】
しかし、ＡＮＤＳＦポリシがＵＥに提供されなかったが、ＲＡＮサポート情報がＵＥに提供された場合、ＵＥは、ＲＡＮサポート情報を適用することができる。
【０１７４】
次に、ＵＥがローミング状況である場合に関して説明する。
【０１７５】
図１３は、ＵＥのローミング状況の一例を示す。
【０１７６】
図１３を参照すると、ＵＥは、ホームネットワーク（ＨＰＬＭＮ）においてＡＮＤＳＦポリシおよびＲＡＮ規則（ＲＡＮサポート情報）を受信した後、訪問ネットワーク（ＶＰＬＭＮ）にローミングした場合、上記訪問ネットワーク（ＶＰＬＭＮ）においてＡＮＤＳＦポリシおよびＲＡＮ規則（ＲＡＮサポート情報）をさらに受信する例が示されている。
【０１７７】
まず、ここで注目する点は、ＨＰＬＭＮで提供されたＲＡＮ規則をＶＰＬＭＮで適用されることができない点である。
【０１７８】
次に、ＵＥが“ネットワーク選択およびトラフィックルーティングのためにＨＰＬＭＮにより提供されたネットワーク選択およびトラフィックルーティング規則を選好する”に設定された場合、そして、ＨＰＬＭＮでＡＮＤＳＦポリシがＵＥに提供された場合、ＵＥは、ＨＰＬＭＮにおけるＡＮＤＳＦポリシを適用する。ただし、ＨＰＬＭＮでＡＮＤＳＦポリシがＵＥに提供されない場合、ネットワーク選択およびトラフィックルーティングのためにＵＥが利用可能な規則はないと見なされる。
【０１７９】
ＵＥが“ネットワーク選択およびトラフィックルーティングのためにＨＰＬＭＮにより提供されたネットワーク選択およびトラフィックルーティング規則を選好しない”に設定された場合、そして、ＶＰＬＭＮでＡＮＤＳＦポリシがＵＥに提供された場合、ＵＥは、ＶＰＬＭＮにおけるＡＮＤＳＦポリシを適用する。
【０１８０】
ＵＥが訪問ネットワーク（ＶＰＬＭＮ）においてＲＡＮサポート情報を基地局またはＲＮＣから受信する場合、上記ＲＡＮサポート情報を、ＡＮＤＳＦポリシを評価するときに考慮することができる。そして、ＡＮＤＳＦ ＭＯ（Management Object）は、上記ＲＡＮサポート情報に基づいて更新されることができる。
【０１８１】
一方、ＶＰＬＭＮでＡＮＤＳＦポリシがＵＥに提供されず、ＵＥが訪問ネットワークの基地局またはＲＮＣからＲＡＮサポート情報を受信する場合、ＵＥは、ＶＰＬＭＮ内でのＲＡＮ規則を適用することができる。
【０１８２】
また、前述した説明は、下記のように整理することができる。
【０１８３】
ＵＥが３ＧＰＰアクセスおよびＷＬＡＮアクセスの両方ともを利用することができる状況で、（ＡＮＤＳＦポリシは）適用されることができる（The ANDSF policy may be applied）。
【０１８４】
ＡＮＤＳＦポリシがＵＥに提供される場合、ＵＥは、ネットワーク選択およびトラフィックルーティングのためにＡＮＤＳＦポリシを利用することができる。
【０１８５】
ＵＥが基地局またはＲＮＣからＲＡＮサポート情報を受信した場合、上記ＵＥは、上記ＲＡＮサポート情報を、ＡＮＤＳＦポリシを評価するときに考慮することができ、上記ＲＡＮサポート情報を利用してＡＮＤＳＦ ＭＯを更新することができる。
【０１８６】
ＡＮＤＳＦポリシがＵＥに提供されなかったが、ＲＡＮサポート情報は提供される場合、上記ＵＥは、ＲＡＮ規則を利用することができる。
【０１８７】
一方、ＵＥが“ネットワーク選択およびトラフィックルーティングのためにＨＰＬＭＮで提供されたネットワーク選択およびトラフィックルーティング規則を選好する”に設定された場合、そして、ＵＥがＨＰＬＭＮでＡＮＤＳＦポリシを受信する場合、上記ＵＥは、ネットワーク選択およびトラフィックルーティングのためにＨＰＬＭＮで提供されたＡＮＤＳＦポリシを利用することができる。
【０１８８】
しかしながら、ＵＥが“ネットワーク選択およびトラフィックルーティングのためにＨＰＬＭＮで提供されたネットワーク選択およびトラフィックルーティング規則を選好しない”に設定された場合、そして、ＵＥがＶＰＬＭＮでＡＮＤＳＦポリシを受信する場合、上記ＵＥは、ネットワーク選択およびトラフィックルーティングのためにＶＰＬＭＮで提供されたＡＮＤＳＦポリシを利用することができる。
【０１８９】
このとき、ＵＥがＶＰＬＭＮにおいてＲＡＮサポート情報を基地局またはＲＮＣから受信する場合、上記ＲＡＮサポート情報を、ＡＮＤＳＦポリシを評価するときに考慮することができ、上記ＲＡＮサポート情報を利用して、ＶＰＬＭＮで提供されるＡＮＤＳＦ ＭＯを更新することができる。
【０１９０】
一方、ＡＮＤＳＦポリシおよびＲＡＮ規則のうちいずれか一つを選択することに関する前述した説明を表で整理すると、下記の通りである。以下の表２は、ＵＥがローミングしない状況に関するものであり、表３は、ＵＥがローミングした状況に関するものである。
【０１９１】
【表２】
0006526772.tif 000003
【０１９２】
【表３】
0006526772.tif 000004
【０１９３】
また、以上の説明を別に（differently）表現して示すと、以下の表４の通りである。
【０１９４】
【表４】
0006526772.tif 000005
【０１９５】
他方、前述した説明を別に整理すると、下記の通りである。
【０１９６】
ＵＥが有効なＡＮＤＳＦポリシを有している場合、ＵＥは、ネットワーク選択およびトラフィックルーティングのためにＡＮＤＳＦポリシを利用することができる。
【０１９７】
ＵＥが基地局またはＲＮＣからＲＡＮサポート情報を受信する場合、上記ＵＥは、上記ＲＡＮサポート情報を、ＡＮＤＳＦポリシを評価するときに考慮することができ、上記ＲＡＮサポート情報を利用してＡＮＤＳＦ ＭＯを更新することができる。
【０１９８】
ＵＥが有効なＡＮＤＳＦポリシを有しておらず、ＵＥは、ＲＡＮ規則選好フラグが設定されている場合、ネットワーク選択およびトラフィックルーティングのために該当ＰＬＭＮで提供されたＲＡＮ規則を利用することができる。
【０１９９】
ＵＥが“ネットワーク選択およびトラフィックルーティングのためにＨＰＬＭＮで提供されたネットワーク選択およびトラフィックルーティング規則を選好する”に設定された場合、そして、ＨＰＬＭＮで提供されたＡＮＤＳＦポリシが有効な場合、上記ＵＥは、ネットワーク選択およびトラフィックルーティングのためにＨＰＬＭＮで提供されたＡＮＤＳＦポリシを適用することができる。
【０２００】
しかし、ＵＥが“ネットワーク選択およびトラフィックルーティングのためにＨＰＬＭＮで提供されたネットワーク選択およびトラフィックルーティング規則を選好しない”に設定された場合、そして、ＶＰＬＭＮで提供されたＡＮＤＳＦポリシが有効な場合、上記ＵＥは、ネットワーク選択およびトラフィックルーティングのためにＶＰＬＭＮで提供されたＡＮＤＳＦポリシを適用することができる。
【０２０１】
このとき、上記ＵＥがＶＰＬＭＮ内の基地局またはＲＮＣからＲＡＮサポート情報を受信する場合、上記ＵＥは、上記ＲＡＮサポート情報を、ＡＮＤＳＦポリシを評価するときに考慮することができ、上記ＲＡＮサポート情報を利用してＡＮＤＳＦ ＭＯを更新することができる。
【０２０２】
図１４は、ＲＡＮ規則（ＲＡＮサポート情報）とＲＡＮ規則（ＲＡＮサポート情報）に関するＲＡＮ有効性条件とを含むように改善されたＡＮＤＳＦポリシを受信する例を示す。
【０２０３】
図１３を参照して分かるように、ＲＡＮ規則は、３ＧＰＰアクセス閾値、ＲＡＮが提供したＷＬＡＮアクセス閾値、ＯＰＩ値を含むことができる。
【０２０４】
そして、ＡＮＤＳＦポリシ情報内のＩＡＲＰまたはＩＳＲＰは、ＲＡＮ有効性条件を含むように改善されることができる。
【０２０５】
上記有効性条件は、閾値条件およびＯＰＩ条件、ＲＡＮ有効性条件インジケータおよびＲＡＮ選好インジケータを含むことができる。
【０２０６】
図１５ａは、ＩＳＲＰがＲＡＮ規則に関するＲＡＮ有効性条件を含むように改善された例を示し、図１５ｂは、図１５ａに示すＲＡＮ有効性条件を詳細に示す例示図である。
【０２０７】
ＩＳＲＰ規則（または、ＩＡＲＰ規則）は、上記ＲＡＮサポート情報に含まれている上記３ＧＰＰアクセス閾値、ＲＡＮ提供ＷＬＡＮアクセス閾値およびＯＰＩ値、そしてＡＮＤＳＦ提供ＷＬＡＮアクセス閾値を利用することができる。上記規則がこれらの閾値および／またはＯＰＩ値のうち一つを利用する場合、下記のように構成されることができる。
【０２０８】
１．図１４ａを参照して分かるように、ＩＡＲＰ／ＩＳＲＰ規則は、上記ＲＡＮサポート情報に基づいて、いつ上記規則が有効であるかまたは有効でないかを示すＲＡＮ有効性条件（RAN validity condition）を含むことができる。
【０２０９】
２．図１４ｂに示すように、上記ＲＡＮ有効性条件は、一つまたは複数の閾値（臨界）（threshold）条件と一つのＯＰＩ条件とを含むことができる。
【０２１０】
３．各閾値条件は、（ｉ）ＲＡＮにより提供された３ＧＰＰアクセス閾値、または（ii）ＡＮＤＳＦにより提供されたＷＬＡＮアクセス閾値、または両方ともと関連している。閾値条件に対して評価が実行され、その評価結果は、真または偽である。
【０２１１】
４．上記ＯＰＩ条件は、ＡＮＤＳＦにより決められたビットマップ形式で表現される。上記ＯＰＩ条件に関しては、提供されたＯＰＩおよびＲＡＮにより提供されたＯＰＩ値により評価が実行され、その評価結果は、真または偽である。
【０２１２】
５．ＲＡＮ有効性条件は、（ａ）全ての閾値条件が真のとき、または（ｂ）いずれか一つの閾値条件が真のとき、上記規則が有効であるか否かを示すインジケータを含む。
【０２１３】
図１６は、図１４に示す状況におけるＵＥの動作を例示する図である。
【０２１４】
図１６を参照して分かるように、ＵＥのＮＡＳ層は、ＲＡＮ有効性条件を含むＡＤＮＳＦポリシ情報をＡＮＤＳＦ６００から受信する。そして、ＵＥのＡＳ層は、基地局２００からＲＡＮサポート情報を受信する。その後、上記ＡＳ層は、上記ＲＡＮサポート情報を上記ＮＡＳ層に伝達する。
【０２１５】
上記ＵＥのＮＡＳ層は、上記ＲＡＮサポート情報に基づいてＡＮＤＳＦポリシを評価する。上記評価によって、上記ＮＡＳ層は、上記ＡＳ層に３ＧＰＰアクセスおよびＷＬＡＮアクセスのうちいずれか一つを選択することを指示する。
【０２１６】
上記ＲＡＮサポート情報に基づいている上記ＡＮＤＳＦポリシの評価に関してより詳細に説明すると、下記の通りである。
【０２１７】
−ＲＡＮ有効性条件を含むＩＡＲＰ／ＩＳＲＰを上記ＵＥが有している場合、上記ＵＥは、下記のように全ての閾値条件およびＯＰＩ条件を評価する。ＯＰＩ条件が真の状態で、全ての閾値条件が真であるかもしくは少なくともいずれか一つの閾値条件が真である場合、上記ＵＥは、上記ＲＡＮ有効性条件が有効であると見なす。
【０２１８】
−ある閾値条件が３ＧＰＰアクセス閾値と関連している場合、上記ＵＥは、上記ＲＡＮにより提供された３ＧＰＰアクセス閾値と測定値とを比較することによって、上記閾値条件を評価する。例えば、上記閾値条件が下限ＲＳＲＰ閾値と関連している場合、測定されたＲＳＲＰ値が上記下限ＲＳＲＰ値より小さい場合、上記ＵＥは、上記条件が真であるという評価結果を導き出すことができる。
【０２１９】
−任意の閾値条件がＲＡＮ提供ＷＬＡＮアクセス閾値と関連している場合、上記ＵＥは、上記ＲＡＮ提供ＷＬＡＮアクセス閾値とＷＬＡＮから受信される値とを比較することによって、上記閾値条件を評価する。例えば、閾値条件が下限チャネル利用率閾値と関連している場合、選択されたＷＬＡＮのチャネル利用率が上記下限チャネル利用率閾値より小さい場合、上記ＵＥは、上記条件が真であるという評価結果を導き出すことができる。
【０２２０】
−任意の閾値条件がＡＮＤＳＦ提供ＷＬＡＮアクセス閾値と関連している場合、上記ＵＥは、ＡＮＤＳＦ提供ＷＬＡＮアクセス閾値と上記選択されたＷＬＡＮから受信される値とを比較することによって、上記閾値条件を評価することができる。例えば、上記閾値条件が上限ＤＬ／ＵＬバックホールデータレート閾値と関連がある場合、上記ＵＥは、上記選択されたＷＬＡＮのＤＬ／ＵＬバックホールデータ利用率が上記上限閾値より大きい場合、上記条件が真であるという評価結果を導き出すことができる。
【０２２１】
−任意の閾値条件がＲＡＮ提供ＷＬＡＮアクセス閾値およびＡＮＤＳＦ提供ＷＬＡＮアクセス閾値の両方ともと関連している場合、上記条件は、ＲＡＮ提供ＷＬＡＮアクセス閾値のみを使用して評価されることもできる。ただし、このとき、ＲＡＮ提供ＷＬＡＮアクセス閾値が利用可能でない場合、その代わりにＡＮＤＳＦ提供ＷＬＡＮアクセス閾値が使われることもできる。
【０２２２】
−上記ＵＥは、上記ＲＡＮで提供したＯＰＩ値と上記規則内に含まれているＯＰＩ値との間にＡＮＤビット演算を実行することによって、ＯＰＩ条件を評価することができる。上記ＡＮＤビット演算の結果が０でない場合、上記ＵＥは、ＯＰＩ条件が真であると見なすことができる。
【０２２３】
以上説明した内容は、ハードウェアで具現されることができる。これについて図１７を参照して説明する。
【０２２４】
図１７は、本発明の実施例に係るＵＥ１００および基地局２００の構成ブロック図である。
【０２２５】
図１７に示すように、上記ＵＥ１００は、格納（記憶）手段１０１、コントローラ（プロセッサ）１０２、および送受信部１０３を含む。そして、上記基地局２００は、格納手段２０１、コントローラ２０２、および送受信部２０３を含む。
【０２２６】
上記格納手段１０１、２０１は、前述した方法を格納する。
【０２２７】
上記コントローラ１０２、２０２は、上記格納手段１０１、２０１および上記送受信部１０３、２０３を制御する。具体的に、上記コントローラ１０２、２０２は、上記格納手段１０１、２０１に格納された上記方法を各々実行する。そして、上記コントローラ１０２、２０２は、上記送受信部１０３、２０３を介して前述した信号を送信する。
【０２２８】
以上、本発明の好ましい実施例を例示的に説明したが、本発明の範囲は、このような特定の実施例にのみ限定されるものではないため、本発明は、本発明の思想および特許請求の範囲に記載された範ちゅう内で多様な形態に修正、変更、または改善されることができる。
【図１】
0006526772.tif 000006
【図２】
0006526772.tif 000007
【図３】
0006526772.tif 000008
【図４】
0006526772.tif 000009
【図５ａ】
0006526772.tif 000010
【図５ｂ】
0006526772.tif 000011
【図６ａ】
0006526772.tif 000012
【図６ｂ】
0006526772.tif 000013
【図７ａ】
0006526772.tif 000014
【図７ｂ】
0006526772.tif 000015
【図８ａ】
0006526772.tif 000016
【図８ｂ】
0006526772.tif 000017
【図９】
0006526772.tif 000018
【図１０ａ】
0006526772.tif 000019
【図１０ｂ】
0006526772.tif 000020
【図１１】
0006526772.tif 000021
【図１２】
0006526772.tif 000022
【図１３】
0006526772.tif 000023
【図１４】
0006526772.tif 000024
【図１５ａ】
0006526772.tif 000025
【図１５ｂ】
0006526772.tif 000026
【図１６】
0006526772.tif 000027
【図１７】
0006526772.tif 000028